(57)【要約】【課題】建築部材の種類数や重量を低減し、様々な形態へ自由に解体でき、異なる形状の建築構造物の建築に容易にリユースできる建築ユニット等を提供する。【解決手段】建築部材１０は、厚み方向Ｄ１に対して垂直の断面の外枠が、同一半径の２つの円の優弧と劣弧からなる三日月形状で、厚み方向Ｄ１の厚みが略均一な形状を有している。建築部材１は、方向Ｄ２に沿った曲面壁１０１と、方向Ｄ３に沿った曲面壁１０２と、曲面形状補強材１０３、曲面形状補強材１０４、平面形状補強材１０５、平面形状補強材１０６、アーチ形状補強材１０７からなる補強材と、優弧の円の中心点を通り厚さ方向Ｄ１に延在した中心軸の軸枠１０８を有している。軸枠１０８には中心軸材が挿入され、アーム部材をそれぞれの建築部材１０の中心軸材に固定することにより、複数の建築部材１０は互いに結合される。【選択図】図１
2014020135.tif 000002
【特許請求の範囲】
【請求項１】
厚みが略均一であって、前記厚み方向に対して垂直の断面が、第１の円の劣弧と、前記第１の円と中心が異なり半径が略同一の第２の円の優弧から構成される三日月形状であり、前記劣弧を含む第１の曲面壁と前記優弧を含む第２の曲面壁とを有する建築部材と、
当該建築部材の前記第１の曲面壁と前記第２の曲面壁のいずれか一方と、当該建築部材と同じ構成を有する他の建築部材の前記第１の曲面壁と前記第２の曲面壁の他方と、が接合した状態で、前記他の建築部材と連結する連結手段と、
を備えることを特徴とする建築ユニット。
【請求項２】
前記建築部材は、前記第１の円の中心から前記厚み方向に伸びた中心軸より前記第１の曲面壁に垂直に下ろした平面上に配置した第１の平面形状補強材、又は、前記第２の円の中心から前記厚み方向に伸びた中心軸より前記第２の曲面壁に垂直に下ろした平面上に配置した第２の平面形状補強材を更に有する、
ことを特徴とする請求項１に記載の建築ユニット。
【請求項３】
前記建築部材は、前記第１の円の中心と同じ点を中心とし、半径が前記第１の円より長い円の弧に沿って設けられた第１の曲面形状補強材、又は、前記第２の円の中心と同じ点を中心とし、半径が前記第２の円より短い円の弧に沿って設けられた第２の曲面形状補強材を更に有する、
ことを特徴とする請求項１又は２に記載の建築ユニット。
【請求項４】
前記建築部材は、第２の円の中心と前記三日月形状の鋭点を通る円弧に沿って設けられた第３の曲面形状補強材を更に有する、
ことを特徴とする請求項１乃至３のいずれか１項に記載の建築ユニット。
【請求項５】
前記建築部材は、前記第２の円の中心から前記厚み方向に伸びた中心軸の軸枠であって、前記第１の曲面壁又は第２の曲面壁に対して固定された軸枠を更に有し、
前記連結手段は、当該建築部材の前記軸枠を貫通する中心軸材と、前記他の建築部材の前記軸枠を貫通する中心軸材と、を互いに固定するアーム部材を含む、
ことを特徴とする請求項１乃至４のいずれか１項に記載の建築ユニット。
【請求項６】
前記連結手段は、緊張材と、前記第１の円の中心と前記第２の円の中心を結ぶ直線から最も離れた前記優弧上の点を通り前記厚み方向に伸びる直線上の点に設置した前記緊張材を固定する緊張材定着具と、を含む、
ことを特徴とする請求項１乃至５のいずれか１項に記載の建築ユニット。
【請求項７】
前記建築部材は、当該建築部材と前記他の建築部材を接合させたときに、当該建築部材の前記第１の曲面壁と前記第２の曲面壁のいずれか一方と、前記他の建築部材の前記第１の曲面壁と前記第２の曲面壁の他方を貫通する貫通穴を更に有し、
前記連結手段は、前記貫通穴を貫通するボルトと、前記ボルトを締結するナットと、を含む、
ことを特徴とする請求項１乃至６のいずれか１項に記載の建築ユニット。
【請求項８】
厚みが略均一であって、前記厚み方向に対して垂直の断面が、第１の円の劣弧と、前記第１の円と中心が異なり半径が略同一の第２の円の優弧から構成される三日月形状であり、前記劣弧を含む第１の曲面壁と前記優弧を含む第２の曲面壁とを有する建築部材を、複数連結した構造を有する建築構造物であって、
１の前記建築部材の前記第１の曲面壁と前記第２の曲面壁のいずれか一方と、他の前記建築部材の前記第１の曲面壁と前記第２の曲面壁の他方と、が接合した状態で、複数の前記建築部材を連結する、
ことを特徴とする建築構造物。
【請求項９】
前記建築部材は、前記第２の円の中心から前記厚み方向に伸びた中心軸の軸枠であって、前記第１の曲面壁又は第２の曲面壁に対して固定された軸枠を更に有し、
前記厚み方向に配列された複数の前記建築部材を、複数の前記建築部材の前記軸枠を貫通する中心軸材を、前記建築部材に対して固定することにより連結する、
ことを特徴とする請求項８に記載の建築構造物。
【請求項１０】
厚みが略均一であって、前記厚み方向に対して垂直の断面が、第１の円の劣弧と、前記第１の円と中心が異なり半径が略同一の第２の円の優弧から構成される三日月形状であり、前記劣弧を含む第１の曲面壁と前記優弧を含む第２の曲面壁とを有する建築部材を、複数連結することにより建築構造物を建築する建築方法であって、
１の前記建築部材の前記第１の曲面壁と前記第２の曲面壁のいずれか一方と、他の前記建築部材の前記第１の曲面壁と前記第２の曲面壁の他方と、が接合した状態で、複数の前記建築部材を配列する第１の配列ステップと、
配列された複数の前記建築部材を互いに連結する連結ステップと、を有する、
ことを特徴とする建築方法。
【請求項１１】
前記建築部材は、前記第２の円の中心から前記厚み方向に伸びた中心軸の軸枠であって、前記第１の曲面壁又は第２の曲面壁に対して固定された軸枠を更に有し、
前記厚み方向に複数の前記建築部材を配列する第２の配列ステップと、
前記厚み方向に配列された複数の前記建築部材の前記軸枠に対して、中心軸材を貫通させ、前記中心軸材を前記建築部材に対して固定する中心軸材固定ステップと、を更に有する、
ことを特徴とする請求項１０に記載の建築方法。
【発明の詳細な説明】
【技術分野】
【０００１】
本発明は、建築部材を備える建築ユニット、建築部材を連結した建築構造物及び建築方法に関する。
【背景技術】
【０００２】
近年の建築部材として、汎用性を有し、リサイクル、リユース等が可能な建築部材が注目されている。
【０００３】
特許文献１には、湾曲度の異なる複数種類の建築用枠材に紐体を通しながら連結し固定することによって、所望形状の屋根・壁体を簡単に構築する方法が記載されている。
【０００４】
また、特許文献２及び特許文献３には、金属プレートを介して積層した複数のブロック体を貫通ボルトで締結して一体化した制震構造壁体等が記載されている。
【０００５】
また、特許文献４には、丸太材の上下部を平行面にカットしてその平行面が接するように丸太材を積み上げ、丸太材の平行面に垂直の方向に貫通するロッド挿通孔を設け、ロッド挿通孔に緊締材を挿通して緊締することにより丸太材の接合部分に隙間が全く発生しない強固なログ壁面体等が記載されている。
【先行技術文献】
【特許文献】
【０００６】
【特許文献１】特開２００７−１２０２０７号公報
【特許文献２】特開２００９−２５６８７８号公報
【特許文献３】特開２００２−０８１１５２号公報
【特許文献４】特開２０００−２２６８８４号公報
【発明の概要】
【発明が解決しようとする課題】
【０００７】
特許文献１〜４に記載されている各種建築部材を用いた建築構造物の製造方法は、乾式接合法によるものであり、建築部材に貫通させた緊張材等を緊張させることにより、建築部材を連結して構造性能の向上を図ったものである。しかし、いずれも緊張材が複数のブロック形状部材の内部を貫通する方式を採っており、例えば、全面的な解体には対応できるが、部分的な解体には対応できず、解体の自由性が得られにくい。
【０００８】
また、特許文献１の建築構造物は、壁・屋根体の湾曲度を変化させるためには、異なる形状の建築用枠材に取替えて再連結することが必要となる。
【０００９】
また、特許文献２および特許文献３の建築構造物は、煉瓦またはコンクリートブロックの使用を前提としており、異なる形状の建築構造物へリユースする時は、煉瓦またはコンクリートブロックの再加工が必要となる。
【００１０】
また、特許文献４の建築構造物は、丸太材に中空部を設けることが難しく、軽量化が困難である。
【００１１】
本発明は、これらの問題に鑑みてなされたものであり、その目的は、建築部材の種類数や重量を低減し、様々な形態へ自由に解体でき、異なる形状の建築構造物の建築に容易にリユースできる建築ユニット等を提供することである。
【課題を解決するための手段】
【００１２】
上記目的を達成するため、本発明の第１の観点に係る建築ユニットは、
厚みが略均一であって、前記厚み方向に対して垂直の断面が、第１の円の劣弧と、前記第１の円と中心が異なり半径が略同一の第２の円の優弧から構成される三日月形状であり、前記劣弧を含む第１の曲面壁と前記優弧を含む第２の曲面壁とを有する建築部材と、
当該建築部材の前記第１の曲面壁と前記第２の曲面壁のいずれか一方と、当該建築部材と同じ構成を有する他の建築部材の前記第１の曲面壁と前記第２の曲面壁の他方と、が接合した状態で、前記他の建築部材と連結する連結手段と、
を備えることを特徴とする。
【００１３】
前記建築部材は、前記第１の円の中心から前記厚み方向に伸びた中心軸より前記第１の曲面壁に垂直に下ろした平面上に配置した第１の平面形状補強材、又は、前記第２の円の中心から前記厚み方向に伸びた中心軸より前記第２の曲面壁に垂直に下ろした平面上に配置した第２の平面形状補強材を更に有してもよい。
【００１４】
前記建築部材は、前記第１の円の中心と同じ点を中心とし、半径が前記第１の円より長い円の弧に沿って設けられた第１の曲面形状補強材、又は、前記第２の円の中心と同じ点を中心とし、半径が前記第２の円より短い円の弧に沿って設けられた第２の曲面形状補強材を更に有してもよい。
【００１５】
前記建築部材は、第２の円の中心と前記三日月形状の鋭点を通る円弧に沿って設けられた第３の曲面形状補強材を更に有してもよい。
【００１６】
前記建築部材は、前記第２の円の中心から前記厚み方向に伸びた中心軸の軸枠であって、前記第１の曲面壁又は第２の曲面壁に対して固定された軸枠を更に有し、
前記連結手段は、当該建築部材の前記軸枠を貫通する中心軸材と、前記他の建築部材の前記軸枠を貫通する中心軸材と、を互いに固定するアーム部材を含むようにしてもよい。
【００１７】
前記連結手段は、緊張材と、前記第１の円の中心と前記第２の円の中心を結ぶ直線から最も離れた前記優弧上の点を通り前記厚み方向に伸びる直線上の点に設置した前記緊張材を固定する緊張材定着具と、を含むようにしてもよい。
【００１８】
前記建築部材は、当該建築部材と前記他の建築部材を接合させたときに、当該建築部材の前記第１の曲面壁と前記第２の曲面壁のいずれか一方と、前記他の建築部材の前記第１の曲面壁と前記第２の曲面壁の他方を貫通する貫通穴を更に有し、
前記連結手段は、前記貫通穴を貫通するボルトと、前記ボルトを締結するナットと、を含むようにしてもよい。
【００１９】
また、本発明の第２の観点に係る建築構造物は、
厚みが略均一であって、前記厚み方向に対して垂直の断面が、第１の円の劣弧と、前記第１の円と中心が異なり半径が略同一の第２の円の優弧から構成される三日月形状であり、前記劣弧を含む第１の曲面壁と前記優弧を含む第２の曲面壁とを有する建築部材を、複数連結した構造を有する建築構造物であって、
１の前記建築部材の前記第１の曲面壁と前記第２の曲面壁のいずれか一方と、他の前記建築部材の前記第１の曲面壁と前記第２の曲面壁の他方と、が接合した状態で、複数の前記建築部材を連結する、
ことを特徴とする。
【００２０】
前記建築部材は、前記第２の円の中心から前記厚み方向に伸びた中心軸の軸枠であって、前記第１の曲面壁又は第２の曲面壁に対して固定された軸枠を更に有し、
前記厚み方向に配列された複数の前記建築部材を、複数の前記建築部材の前記軸枠を貫通する中心軸材を、前記建築部材に対して固定することにより連結するようにしてもよい。
【００２１】
また、本発明の第３の観点に係る建築方法は、
厚みが略均一であって、前記厚み方向に対して垂直の断面が、第１の円の劣弧と、前記第１の円と中心が異なり半径が略同一の第２の円の優弧から構成される三日月形状であり、前記劣弧を含む第１の曲面壁と前記優弧を含む第２の曲面壁とを有する建築部材を、複数連結することにより建築構造物を建築する建築方法であって、
１の前記建築部材の前記第１の曲面壁と前記第２の曲面壁のいずれか一方と、他の前記建築部材の前記第１の曲面壁と前記第２の曲面壁の他方と、が接合した状態で、複数の前記建築部材を配列する第１の配列ステップと、
配列された複数の前記建築部材を互いに連結する連結ステップと、を有する、
ことを特徴とする。
【００２２】
前記建築部材は、前記第２の円の中心から前記厚み方向に伸びた中心軸の軸枠であって、前記第１の曲面壁又は第２の曲面壁に対して固定された軸枠を更に有し、
前記厚み方向に複数の前記建築部材を配列する第２の配列ステップと、
前記厚み方向に配列された複数の前記建築部材の前記軸枠に対して、中心軸材を貫通させ、前記中心軸材を前記建築部材に対して固定する中心軸材固定ステップと、を更に有するようにしてもよい。
【発明の効果】
【００２３】
本発明によれば、建築部材の種類数や重量を低減し、様々な形態へ自由に解体でき、異なる形状の建築構造物の建築に容易にリユースすることが可能となる。
【図面の簡単な説明】
【００２４】
【図１】実施の形態１に係る建築部材の外観図であり、（ａ）は斜視図、（ｂ）は正面図である。
【図２】（ａ）実施の形態１に係る建築部材の形状を説明するための図である。（ｂ）曲面壁と補強材の配置を説明するための図である。
【図３】（ａ）実施の形態１に係る建築部材にアーム部材を取り付けた状態を示す図である。（ｂ）アーム部材の正面図である。（ｃ）アーム部材の平面図である。
【図４】実施の形態１に係る建築構造物の正面図であり、（ａ）は直線状に連結された状態を示す図であり、（ｂ）は湾曲状に連結された状態を示す図である。
【図５】建築部材の再生の流れを説明するための図である。
【図６】実施の形態２に係る建築部材の外観図であり、（ａ）は斜視図、（ｂ）は正面図である。
【図７】実施の形態２に係る建築部材に緊張材を取り付けた状態を示す図であり、（ａ）は正面図、（ｂ）は平面図である。
【図８】（ａ）実施の形態２に係る建築部材に緊張材を取り付けた状態を示す斜視図である。（ｂ）実施の形態２に係る緊張材の斜視図である。
【図９】実施の形態２に係る建築構造物の緊張材の調整手順を説明するための図であり、（ａ）は展開前、（ｂ）は展開後、（ｃ）は緊張材の取り付け後、（ｄ）は緊張材の緊緩調整後を示す図である。
【図１０】実施の形態３に係る建築部材をボルトとナットで連結させた状態を示す図である。
【図１１】（ａ）実施の形態４に係る建築部材を厚み方向に連結した状態を示す図である。（ｂ）厚み方向及び厚み方向に垂直の方向に連結した状態を示す図である。
【発明を実施するための形態】
【００２５】
（実施の形態１）
本発明の実施の形態１について図１乃至５を参照して詳細に説明する。まず、本実施の形態に係る建築部材１０について説明する。
【００２６】
建築部材１０は、図１に示すように、厚み方向Ｄ１に垂直の断面の外枠が三日月形状で、厚み方向Ｄ１の厚みが略均一な形状を有している。建築部材１０は、方向Ｄ２に沿った曲面壁１０１と、方向Ｄ３に沿った曲面壁１０２とからなる外壁と、外壁を支える各種補強材を有する。
【００２７】
建築部材１０の厚み方向Ｄ１に対して垂直の断面形状を、図２を用いて詳細に説明する。曲面壁１０１の断面形状は、点Ａを中心とする円の劣弧であり、曲面壁１０２の断面形状は、点Ｂを中心とする円の優弧である。ここで、図２（ａ）に示すように、点Ａを中心とする円の半径ｒ１と点Ｂを中心とする円の半径ｒ２は略同一である。
【００２８】
曲面壁１０１と曲面壁１０２からなる外壁を内側から支持する補強材は、曲面形状補強材１０３、曲面形状補強材１０４、平面形状補強材１０５、平面形状補強材１０６、アーチ形状補強材１０７を含む。曲面形状補強材１０３は点Ａを中心とし半径がｒ１より大きい円の劣弧に沿った位置に形成されている。曲面形状補強材１０４は点Ｂを中心とし半径がｒ２より小さい円の優弧に沿った位置に形成されている。
【００２９】
平面形状補強材１０５は、中心点Ａから厚み方向Ｄ１に延ばした中心軸より曲面壁１０１に垂直に下ろした平面上に形成されている。平面形状補強材１０６は、中心点Ｂから厚み方向Ｄ１に延ばした中心軸より曲面壁１０２に垂直に下ろした平面上に形成されている。アーチ形状補強材１０７は、三日月形状の鋭点、すなわち、曲面壁１０１と曲面壁１０２の交点Ｐ、Ｑと点Ｂを通る円弧に沿って形成されている。
【００３０】
図１に示す軸枠１０８は、図２に示す点Ｂを通り厚さ方向Ｄ１に延在している中心軸の軸枠であり、各種補強材を介して、曲面壁１０１、１０２に対して固定されている。
【００３１】
以上説明した形状を有する建築部材１０は、例えば、アルミ材から構成される。アルミ材に対して押出成形等の塑性加工を行うことにより、曲面壁１０１、１０２、曲面形状補強材１０３、１０４、平面形状補強材１０５、１０６、アーチ形状補強材１０７、軸枠１０８を有し、厚み方向Ｄ１に延びた形状を生成する。塑性加工の後、予め定めた厚みにカッティングを行う。
【００３２】
次に、建築部材１０を複数連結する連結手段について説明する。
【００３３】
隣り合う２つの建築部材１０のうち一方の建築部材１０の曲面壁１０１と他方の建築部材１０の曲面壁１０２が接するようにして、複数の建築部材１０が連結される。
【００３４】
隣り合う建築部材１０は、図３（ｂ）、（ｃ）に示すようなアーム部材２０１をそれぞれの建築部材１０に固定することにより、互いに結合される。各建築部材１０の軸枠１０８には中心軸材２０２を挿入している。中心軸材２０２は、少なくとも両端部がねじ切りされている。図３（ａ）に示すように、軸枠１０８から突出されている中心軸材２０２の両端部をアーム部材２０１の貫通穴２０３に通し、ナット２０４で締着することにより、建築部材１０と中心軸材２０２とアーム部材２０１とを互いに固定する。これにより、アーム部材２０１は、建築部材１０を挟むようにして、建築部材１０の両側面に設置される。
【００３５】
アーム部材２０１は、図３（ｂ）、（ｃ）に示すように、建築部材１０の表面に接する平面部分２０５と、平面部分２０５に対して垂直となるように設けられた台座部分２０６から構成される。台座部分２０６を設けることにより、アーム部材２０１が湾曲し、隣り合う建築部材１０がずれるのを防ぐことができる。アーム部材２０１や中心軸材２０２は、例えばアルミ、鋼鉄等から構成される。
【００３６】
建築部材１０の連結方向の湾曲度を変更する場合には、隣り合う建築部材１０のうち一方の建築部材１０の曲面壁１０１を固定し、他方の建築部材１０の曲面壁１０２を滑合させながら、２つの建築部材１０に連結された状態のアーム部材２０１の端部を回転させる。
【００３７】
このようにして、複数の建築部材１０を順に連結することにより建築構造物１を構築することができる。ここで、中心軸材２０２とアーム部材２０１を連結手段として建築部材１０に付属したものを建築ユニットとして捉え、この建築ユニットを１単位として、任意単位組み合わせることにより様々な形状の建築構造物１を構築することができる。
【００３８】
図４に４つの建築部材１０からなる建築構造物１を示す。図４（ａ）は、連結方向が直線上である状態を示す。図４（ｂ）は、（ａ）の状態からアーム部材２０１を回転させて湾曲された状態を示す。
【００３９】
次に、建築部材１０のリユース・リサイクル・リデュースの流れについて、図５を用いて説明する。
【００４０】
建築部材１０は、建築構造物１のアーム部材２０１を取り外すことにより、解体し、再組立することができる（リユース）。
【００４１】
しかし、リユース回数もしくは建設・完成後の環境条件によって建築部材１０に損傷が生じることがある。建築部材１０の損傷程度が局部レベルに留まった場合、損傷部分にあわせて建築部材１０を厚さ方向Ｄ１に垂直の面でカッティングを行う。損傷側の建築部材１０のみがリサイクル機関に回収され（リデュース）、リサイクルされる。一方、無傷側の建築部材１０はリユースすることができる。建築部材１０の損傷程度が全体レベルに達した場合、そのまま建築部材１０がリサイクル機関に回収され、リサイクルされる。
【００４２】
このようにして、建築部材１０を用いた建築構造物１は、建築部材１０のリユース率を高め、リサイクルに係る電力の節電を可能にし、少量生産・少量廃棄を実現することで、地球温暖化や資源枯渇化問題解決へ貢献することができる。
【００４３】
以上説明したように、本実施の形態においては、厚み方向Ｄ１に対して垂直の断面の外枠が三日月形状で、方向Ｄ２に沿った曲面壁１０１と、方向Ｄ３に沿った曲面壁１０２とからなる外壁と、外壁を支える各種補強材と中心点Ｂに設けた軸枠１０８を有し、厚み方向Ｄ１の厚みが略均一な形状の建築部材１を、軸枠１０８に貫通させた中心軸材２０２とアーム部材２０１を結合させることにより連結して、建築構造物１を構築することとした。これにより、重量の軽い建築部材１０を用いて、任意の湾曲度を有する建築構造物１を構築でき、また、アーム部材２０１を取り外すことにより容易に解体することができ、解体した建築部材１０を用いて異なる形状の建築構造物１の建築に容易にリユースすることもできる。
【００４４】
（実施の形態２）
本発明の実施の形態２について図６乃至９を参照して詳細に説明する。まず、本実施の形態に係る建築部材１２について説明する。なお、実施の形態１に係る建築部材１０と同じ符号を付した構成は、実施の形態１と同様の構造、機能を有するものである。
【００４５】
建築部材１２は、図６に示すように、方向Ｄ２に沿った曲面壁１０１と、方向Ｄ３に沿った曲面壁１０２とからなる外壁と、外壁を支える曲面形状補強材１０３、１０４、平面形状補強材１０５、１０６、アーチ形状補強材１０７を有し、厚み方向Ｄ１の厚みが略均一な形状を有している。
【００４６】
建築部材１２は、さらに、曲面壁１０２の上方と下方に、一定の幅を有し、厚さ方向Ｄ１に延びた平面部１２１、及び厚さ方向Ｄ１に沿って設けられた浅溝１２２を有する。浅溝１２２は例えば、点Ａと点Ｂを結んだ直線から最も離れた優弧上の点を通り厚み方向Ｄ１に伸びる直線上に設けられる。浅溝１２２に沿った位置に、金具取付用穴１２３が設けられている。
【００４７】
このような形状を有する建築部材１２は、例えば、アルミ材から構成される。アルミ材を押出成形等の塑性加工を行うことにより、曲面壁１０１、１０２、曲面形状補強材１０３、１０４、平面形状補強材１０５、１０６、アーチ形状補強材１０７、軸枠１０８、平面部１２１、浅溝１２２を有し、厚み方向Ｄ１に延びた形状を形成する。塑性加工の後、一定長の厚みにカッティングを行い、浅溝１２２上の適宜位置に金具取付用穴１２３を穿孔する。
【００４８】
次に、建築部材１２を複数連結する連結手段について説明する。
【００４９】
隣り合う２つの建築部材１２のうち一方の建築部材１２の曲面壁１０１と他方の建築部材１２の曲面壁１０２が接するようにして、複数の建築部材１２が連結される。
【００５０】
隣り合う建築部材１２は、まず、実施の形態１と同様にアーム部材２０１をそれぞれの建築部材１２に固定される。その後、建築部材１２の上下部に設置した緊張材３０２を用いて緊緩調整を行う。ここで、緊張材３０２は、例えば、ロッド（鋼鉄棒)やワイヤーケーブル等で構成される。
【００５１】
緊張材を用いた連結方法について図７（ａ）、（ｂ）、図８（ａ）、（ｂ）を参照して詳細に説明する。まず、図７（ａ）に示すように建築部材１２の金具取付用穴１２３に緊張材定着金具１２４を挿入し、曲面壁１０２の裏側よりナット１２５で締着する。そして、緊張材定着金具１２４には、図７（ａ）、（ｂ）に示すような貫通穴１２４１が設けられており、その中にねじ切りした貫通金具１２６を通し、両側からナット１２７で固定する。
【００５２】
貫通金具１２６に取り付ける緊緩調整装置３０は図８（ｂ）に示すように、ソケット３０１と緊張材３０２から構成され、ソケット３０１には貫通金具１２６を挿入する貫通穴３０３と、緊張材３０２を挿入する貫通穴３０４を備えている。緊張材３０２は２つのソケット３０１の貫通穴３０４に挿入され、端部を緊張材止め３０５で２つのソケット３０１の間の距離が一定長となるように固定されている。
【００５３】
貫通金具１２６はソケット３０１の貫通穴３０３を貫通させてナット３０６で締着する。このナット３０６のねじ込みを調整することにより、緊張材３０２の緊緩を調整することができる。
【００５４】
この緊張材３０２の緊張度が適切となるように緊緩調整することにより、隣り合う建築部材１２が互いに緊合され、せん断変形および曲げ変形を抑制し安定させることができる。
【００５５】
このようにして、複数の建築部材１２を連結することにより建築構造物２を構築することができる。ここで、本実施の形態でも、実施の形態１と同様に、アーム部材２０１、中心軸材２０２、緊緩調整装置３０等を連結手段として建築部材１２に付属したものを建築ユニットとして捉え、この建築ユニットを１単位として、任意単位の建築ユニットを組み合わせることにより様々な形状の建築構造物２を構築することができる。
【００５６】
建築構造物２の構築手順を、図９を用いて説明する。まず、アーム部材２０１によって建築部材１２を連結させ、建築構造物２を湾曲させた状態で、建築部材１２の上下に設置した緊張材定着金具１２４のうち、上下の一方に、緊緩調整装置３０を取り付ける（図９（ａ））。その後、建築構造物２を要求される形状に展開してから（図９（ｂ））、上下の他方に、緊緩調整装置３０を取り付ける（図９（ｃ））。そして、上下の緊緩調整装置３０のナット３０６の締め付け具合を調整して、緊緩調整を行う（図９（ｄ））。
【００５７】
解体の時には、ナット３０６を緩めて緊張材３０２を弛緩させた後、緊張材３０２の一端をソケット３０１から外して、一端を外した緊張材３０２を簾のように巻きつけてもよい。これにより建築ユニット毎に収納することができる。
【００５８】
建築構造物２の大まかな湾曲度にあわせて所定の長さにカットされた緊張材３０２が予め組み込まれた緊緩調整装置３０を建築部材１２に取付けておくことで、建築構造物１の湾曲度を安定的に変更することができる。その場合でも、建築部材１２とアーム部材２０１を取り替えなくても済む。
【００５９】
以上説明したように、本実施の形態においては、建築部材１２の上下に設置した緊張材３０２を用いて緊緩調整を行うことにより、隣り合う建築部材１２が緊合する構成とした。これにより、任意の湾曲度を有する建築構造物２を構築でき、建築構造物２の湾曲度を変更する場合であっても、緊緩調整を行うことにより、変更後の建築構造物２も安定的に構築できる。
【００６０】
（実施の形態３）
本発明の実施の形態３について図１０を参照して説明する。まず、本実施の形態に係る建築部材１３について説明する。なお、実施の形態１に係る建築部材１０と同じ符号を付した構成は、実施の形態１と同様の構造、機能を有するものである。
【００６１】
本実施の形態に係る建築部材１３は、実施の形態１に係る建築部材１０と同様に、方向Ｄ２に沿った曲面壁１０１と、方向Ｄ３に沿った曲面壁１０２とからなる外壁と、外壁を支える曲面形状補強材１０３、１０４、平面形状補強材１０５、１０６、アーチ形状補強材１０７を有し、厚み方向Ｄ１の厚みが略均一な形状を有している。
【００６２】
建築部材１３は、さらに、曲面壁１０１、曲面壁１０２に貫通穴４０１が穿孔されている。２つの建築部材１３を係合したときに、一方の建築部材１３の曲面壁１０１の貫通穴４０１と、他方の建築部材１３の曲面壁１０２に穿孔した貫通穴４０１の位置が一致するように、それぞれの曲面壁１０１、１０２に予め穿孔されている。貫通穴４０１の形状は、ボルト４０２の軸径より長くボルト４０２の頭部径より短い直径を有する円形、又は、ボルト４０２の軸径より長くボルト４０２の頭部径より短い幅を有し一定長の長さを有する形状であっても良い。
【００６３】
複数の建築部材１３を連結する際には、まず、実施の形態１と同様にアーム部材２０１をそれぞれの建築部材１３に固定する。その後、１つの建築部材１３の曲面壁１０２の貫通穴４０１からボルト４０２を挿入し、隣り合う建築部材１３の曲面壁１０１の貫通穴４０１も貫通して出たボルト４０２の軸をナット４０３で締着する。これにより、建築部材１３間の接触部での滑りや離間を防止することができる。なお、ボルト４０２の挿入方向は、逆側から、つまり、曲面壁１０１側から挿入しても良い。
【００６４】
以上説明したように、本実施の形態においては、１つの建築部材１３の曲面壁１０１と、その建築部材１３に隣接する建築部材１３の曲面壁１０２に、互いに一致する位置に貫通穴４０１を穿孔し、その貫通穴４０１に挿入したボルト４０２を反対側からナット４０３で締結することとした。これにより、建築部材１３間の接触部での滑りや離間を防止することができ、建築構造物１の形状を安定化させることができる。
【００６５】
（実施の形態４）
本発明の実施の形態４について図１１を参照して説明する。ここで、本実施の形態に係る建築部材１０は、実施の形態１に係る建築部材１０と同様の形状を有している。
【００６６】
本実施の形態では、図１１（ａ）に示すように、建築部材１０が厚み方向Ｄ１にも連結されている。厚み方向Ｄ１に連結された複数の建築部材１０は、曲面壁１０１、１０２の位置がそれぞれ揃うように接合させた状態で配列され、複数の建築部材１０全ての軸枠１０８に中心軸材２１２が挿入される。軸枠１０８から突出された中心軸材２１２の両端部をアーム部材２０１の貫通穴２０３を貫通させた後にナット２０４で締結する。
【００６７】
同様にして、厚み方向Ｄ１に連結した複数の建築部材１０を厚み方向Ｄ１に垂直の方向に連結していったものを複数用意し、アーム部材２０１で互いに固定することにより、図１１（ｂ）に示すような２方向に連結された建築構造物３を構築する。
【００６８】
ここで、図１１（ｂ）に示すように、建築部材１０は、複数種類の厚さを有したものを使用しても良い。厚さ方向の合計の長さが一致するように配列することにより、アーム部材２０１を建築部材１０の側面に沿って取り付けられ、形状が安定した建築構造物３を構築することができる。建築部材１０は、複数種類の厚さを有するものを用意することにより、建築構造物３の形状を柔軟に選択することができる。
【００６９】
以上説明したように、本実施の形態においては、複数の建築部材１０の軸枠１０８を１つの中心軸材２１２で貫通させて、厚み方向Ｄ１にも連結された建築構造物３を構築することとした。これにより、２方向に連結されたサイズの大きい建築構造物３を構築することができる。
【００７０】
このように本発明は、厚み方向に対して垂直の断面の外枠が第１の円の優弧と、第２の円の劣弧からなる三日月形状であって厚みが略均一の建築部材を、１つの建築部材の優弧を含む曲面壁と、他の建築部材の劣弧を含む曲面壁が接合した状態で複数の建築部材を連結させて建築構造物を構築することとしたため、建築部材の種類数や重量を低減でき、様々な形態へ自由に解体でき、異なる形状の建築構造物の建築に容易にリユースすることができる。
【００７１】
なお、本発明は、上記実施の形態に限定されず、本発明の要旨を逸脱しない範囲での種々の変更は勿論可能である。
【００７２】
例えば、上記実施の形態において、建築部材１０、１２、１３は、曲面壁１０１、１０２と各種補強材１０３〜１０７から構成されるとしたが、曲面壁１０１、１０２のみから構成しても良い。この場合、アーム部材２０１による連結を使用せず、実施の形態２の緊張材３０２を用いた連結手段による連結や、実施の形態３のボルト４０２とナット４０３を用いた連結手段による連結を行う。これにより、建築構造物がより軽量化され建築部材の生産も容易になる。
【００７３】
また、曲面壁１０１、１０２を支持する補強材として、曲面形状補強材１０３、１０４、平面形状補強材１０５、１０６、アーチ形状補強材１０７から構成されるとしたが、補強材の種類、数は任意である。実施の形態１に記載した各種補強材のうち、一部の補強材から構成されるとしても良い。あるいは、他の形状の補強材を有していても良い。
【００７４】
また、実施の形態２において、建築部材１２は、アーム部材２０１を用いた連結手段と、緊張材３０２を用いた連結手段により連結するとしたが、緊張材３０２のみを用いて連結しても良い。同様に、実施の形態３において、建築部材１４は、アーム部材２０１を用いた連結手段と、貫通穴４０１に通したボルト４０２とナット４０３を用いた連結手段により連結するとしたが、ボルト４０２とナット４０３のみを用いて連結しても良く、実施の形態２の緊張材３０２を用いた連結手段と組み合わせても良い。
【００７５】
また、実施の形態４は、厚さ方向Ｄ１にも建築部材１０を配列し、貫通穴２０３を貫通させた中心軸材２１２とアーム部材２０１を用いた連結手段により連結することとしたが、これに加えて実施の形態３の緊張材３０２を用いた連結手段や、実施の形態４のボルト４０２とナット４０３を用いた連結手段と組み合わせても良い。これにより、より強固な建築構造物を安定して構築することができる。
【符号の説明】
【００７６】
１、２、３…建築構造物
１０、１２、１３…建築部材
１０１、１０２…曲面壁
１０３、１０４…曲面形状補強材
１０５、１０６…平面形状補強材
１０７…アーチ形状補強材
１０８…軸枠
２０１…アーム部材
２０２、２１２…中心軸材
２０３…貫通穴
２０４…ナット
２０５…平面部分
２０６…台座部分
１２１…平面部
１２２…浅溝
１２３…金具取付用穴
１２４…緊張材定着金具
１２５、１２７…ナット
１２６…貫通金具
３０…緊緩調整装置
３０１…ソケット
３０２…緊張材
３０３、３０４…貫通穴
３０５…緊張材止め
３０６…ナット
４０１…貫通穴
４０２…ボルト
４０３…ナット
【図１】
2014020135.tif 000003
【図２】
2014020135.tif 000004
【図３】
2014020135.tif 000005
【図４】
2014020135.tif 000006
【図５】
2014020135.tif 000007
【図６】
2014020135.tif 000008
【図７】
2014020135.tif 000009
【図８】
2014020135.tif 000010
【図９】
2014020135.tif 000011
【図１０】
2014020135.tif 000012
【図１１】
2014020135.tif 000013